(57)【要約】【課題】車体に設けた肥料タンクから、車体後部に連結している苗植付装置に肥料を肥料搬送風によって供給して施肥する割には、田植機全長を短くできる施肥装置付き乗用型田植機を提供する。【解決手段】複数の肥料タンク２１を、運転座席６ａの両横側方に分けて配置して車体に支持させてある。複数の肥料タンク２１それぞれに、肥料繰出し装置３０を装着してある。【選択図】　　　　図２
2004057049.tif 000002
【特許請求の範囲】
【請求項１】
自走車の車体後部に、車体横方向に並ぶ複数の苗植付機構を備えた苗植付装置を昇降操作自在に連結し、前記複数の苗植付機構による苗植付け箇所の近くに肥料を搬送風によって搬送する施肥装置を備えてある施肥装置付き乗用型田植機であって、
前記施肥装置に、複数個の肥料タンク、及び、タンク内肥料を取り出すように前記各肥料タンクに装着した肥料繰出し装置を備えてあるとともに、前記複数個の肥料タンクを、前記自走車の運転座席の両横側方に分けて配置して車体に支持させてある施肥装置付き乗用型田植機。
【請求項２】
自走車の車体後部に、車体横方向に並ぶ複数の苗植付機構を備えた苗植付装置を昇降操作自在に連結し、前記複数の苗植付機構による苗植付け箇所の近くに肥料を搬送風によって供給する施肥装置を備えてある施肥装置付き乗用型田植機であって、
前記施肥装置の肥料タンク及び肥料繰出し装置を支持する支持枠を、車体のメインフレームと、左右の車輪フェンダーにわたって連結しているフェンダー補強杆とにわたって架設してある施肥装置付き乗用型田植機。
【請求項３】
自走車の車体後部に、車体横方向に並ぶ複数の苗植付機構を備えた苗植付装置を昇降操作自在に連結し、前記複数の苗植付機構による苗植付け箇所の近くに肥料を搬送風によって供給する施肥装置を備えてある施肥装置付き乗用型田植機であって、
前記施肥装置の肥料タンク、及び、タンク内肥料を取り出すように前記肥料タンクに装着した肥料繰出し装置を、肥料繰出し装置の残留肥料排出口が車輪フェンダーの直上方に位置する配置で車体に支持させてある施肥装置付き乗用型田植機。
【請求項４】
自走車の車体後部に、車体横方向に並ぶ複数の苗植付機構を備えた苗植付装置を昇降操作自在に連結し、前記複数の苗植付機構による苗植付け箇所の近くに肥料を搬送風によって供給する施肥装置を備えてある施肥装置付き乗用型田植機であって、
前記施肥装置の前記搬送風を供給する電動送風機を、車体上下方向視で肥料タンクより車体横外側に位置した使用位置と、この使用位置より車体内側に引退するとともにモータ部が肥料タンクの下方に入り込んだ格納位置とに揺動切り換え自在に支持させてある施肥装置付き乗用型田植機。
【発明の詳細な説明】
【０００１】
【発明の属する技術分野】
本発明は、自走車の車体後部に、車体横方向に並ぶ複数の苗植付機構を備えた苗植付装置を昇降操作自在に連結し、前記複数の苗植付機構による苗植付け箇所の近くに肥料を搬送風によって供給する施肥装置を備えてある施肥装置付き乗用型田植機に関する。
【０００２】
【従来の技術】
上記田植機において、従来、タンクに貯留される肥料や、タンクから肥料を取り出す肥料繰出し装置などの重量が苗植付装置に掛からないように、肥料タンク及び肥料繰出し装置を車体に設けられたものがあった。
【０００３】
また、肥料タンクや肥料繰出し装置に残った肥料を回収しやすいように、肥料繰出し装置に残留肥料排出口を備えられたものがあった。
【０００４】
また、電動送風機を採用して肥料搬送風を供給するものがあった。
【０００５】
【発明が解決しようとする課題】
肥料タンク及び肥料繰出し装置を車体に設けたものにあっては、従来、肥料タンクを一部が運転座席の後側に位置する配置で車体に設けられており、運転座席の後側にタンクが位置する分、苗植付装置を車体に対して後方に離間させて連結することにより、苗植付装置が上昇操作されて車体側に移動してもタンクと干渉しないようにせねばならず、この結果、田植機全体の前後長さが長くなっていた。また、田植機全体の前後重量がバランスしにくくなることがあった。
【０００６】
また、肥料タンク及び肥料繰出し装置を車体に設けたものにあっては、車体のメインフレームが支持する支持枠に肥料タンク及び肥料繰出し装置を支持させる取り付け構造を採用されるが、従来、支持枠は、車体のメインフレームのみで支持されており、支持枠の中央部のみで車体のメインフレームに連結した状態になっていた。また、支持枠は、両端側がメインフレームから車体横外側に長く突出した形状になることから、肥料タンクなどが強固に支持されるようにするには、支持枠そのものの強度も、支持枠がメインフレームに連結する強度も高くする必要があり、肥料タンクや肥料繰出し装置を支持させる取り付け構造が重量化していた。
【０００７】
上記した残留肥料排出口を備えたものにあっては、従来、その排出口が車体内側に位置しており、残留肥料の回収が容易に行なえるようにするには、残留肥料排出口に取り出しホースを接続し、取り出しホースの先端開口で成る取り出し口を車体の横端付近に設置する必要があり、必要部材が多くなって構造が複雑になるとともにコスト高になっていた。また、ホースに水が入り込んで付着し、肥料が流れにくくなって回収しにくくなることがあった。
【０００８】
電動送風機を採用した場合、肥料タンクの車体横外側に配置すれば、一端側が送風機の排気口に連結する車体横向きの直管で成るなど構造簡単な送風経路を採用して送風機からの肥料搬送風を肥料繰出し装置に供給できる。ところが、この場合、送風機が車体から横外側に突出し、田植機を輸送するとか非作業走行させるなどの際、送風機のために荷台に収容しにくくなるとか、操縦しにくくなる問題が発生する。
【０００９】
本発明の目的は、肥料タンクを車体側に設けるものでありながら機体全体の前後長さや重量面で、あるいは残留肥料の回収面で、あるいは肥料搬送風の供給手段の面で有利な状態に得られる施肥装置付き乗用型田植機を提供することにある。
【００１０】
【課題を解決するための手段】
請求項１による発明の構成、作用、効果はつぎのとおりである。
【００１１】
〔構成〕
自走車の車体後部に、車体横方向に並ぶ複数の苗植付機構を備えた苗植付装置を昇降操作自在に連結し、前記複数の苗植付機構による苗植付け箇所の近くに肥料を搬送風によって搬送する施肥装置を備えてある施肥装置付き乗用型田植機において、前記施肥装置に、複数個の肥料タンク、及び、タンク内肥料を取り出すように前記各肥料タンクに装着した肥料繰出し装置を備えてあるとともに、前記複数個の肥料タンクを、前記自走車の運転座席の両横側方に分けて配置して車体に支持させてある。
【００１２】
〔作用〕
複数個の肥料タンク、及び、肥料タンクに装着した肥料繰出し装置を備えてあるとともに、複数個の肥料タンクを、運転座席の両横側方に分けて配置して車体に支持させてあるものだから、肥料タンクの容量を減少させることなく車体側面視で肥料タンクや肥料繰出し装置が運転座席から後方に突出しないとか、突出しても従来ほど多く突出しないようにしながら肥料タンク及び肥料繰出し装置を車体に支持させられる。
【００１３】
〔効果〕
従って、肥料や肥料繰出し装置の重量が車体側に掛かって苗植付装置に掛からないものでありながら、肥料タンクが運転座席から後方に突出しなくなるとか、その突出が少なくなる分、苗植付装置を車体側に寄せて田植機全体の長さを極力短くしたり、田植機全体の前後重量のバラスを良くできる。
【００１４】
請求項２による発明の構成、作用、効果はつぎのとおりである。
【００１５】
〔構成〕
自走車の車体後部に、車体横方向に並ぶ複数の苗植付機構を備えた苗植付装置を昇降操作自在に連結し、前記複数の苗植付機構による苗植付け箇所の近くに肥料を搬送風によって供給する施肥装置を備えてある施肥装置付き乗用型田植機において、前記施肥装置の肥料タンク及び肥料繰出し装置を支持する支持枠を、車体のメインフレームと、左右の車輪フェンダーにわたって連結しているフェンダー補強杆とにわたって架設してある。
【００１６】
〔作用〕
肥料タンク及び肥料繰出し装置を支持する支持枠を、車体のメインフレームと、左右の車輪フェンダーにわたって連結しているフェンダー補強杆とにわたって架設してあるものだから、支持杆の車体横方向での中央部をメインフレームで、支持杆のメインフレームから車体横外側に突出する端部側をフェンダー補強杆でそれぞれ支持させられる。これにより、支持杆が中央部のみでメインフレームに連結していた従来に比して軽量な支持枠であるとか、支持枠の対メインフレーム連結構造を採用しながら肥料タンク及び肥料繰出し装置を車体に強固に支持させられる。
【００１７】
〔効果〕
従って、肥料や肥料繰出し装置の重量が車体側に掛かって苗植付装置に掛からないものでありながら、支持枠、及び、支持枠をメインフレームに連結する構造の軽量化を図りその分田植機全体を軽量化できる。
【００１８】
請求項３による発明の構成、作用、効果はつぎのとおりである。
【００１９】
〔構成〕
自走車の車体後部に、車体横方向に並ぶ複数の苗植付機構を備えた苗植付装置を昇降操作自在に連結し、前記複数の苗植付機構による苗植付け箇所の近くに肥料を搬送風によって供給する施肥装置を備えてある施肥装置付き乗用型田植機において、前記施肥装置の肥料タンク、及び、タンク内肥料を取り出すように前記肥料タンクに装着した肥料繰出し装置を、肥料繰出し装置の残留肥料排出口が車輪フェンダーの直上方に位置する配置で車体に支持させてある。
【００２０】
〔作用〕
肥料繰出し装置の残留肥料排出口がフェンダーの直上方に位置するものだから、受け皿などの容器をフェンダー上に設置すれば、容器を残留肥料排出口の直下に設定し、残留肥料を残留肥料排出口から容器に直接に取り出して回収できる。
【００２１】
〔効果〕
従って、残留肥料を回収するに当たり、残留肥料排出口の直下に容器を車体外部から容易に設置して楽に行なえる。その割には従来採用されていたホースなどの特別な導出手段が不要になり、構造面や経済面で有利に済み、かつ、導出手段に水が入り込んで詰まりが発生しやすくなるなどのトラブルを回避できる。
【００２２】
請求項４による発明の構成、作用、効果はつぎのとおりである。
【００２３】
〔構成〕
自走車の車体後部に、車体横方向に並ぶ複数の苗植付機構を備えた苗植付装置を昇降操作自在に連結し、前記複数の苗植付機構による苗植付け箇所の近くに肥料を搬送風によって供給する施肥装置を備えてある施肥装置付き乗用型田植機であって、前記施肥装置の前記搬送風を供給する電動送風機を、車体上下方向視で肥料タンクより車体横外側に位置した使用位置と、この使用位置より車体内側に引退するとともにモータ部が肥料タンクの下方に入り込んだ格納位置とに揺動切り換え自在に支持させてある。
【００２４】
〔作用〕
電動送風機を、車体上下方向視で肥料タンクより車体横外側に位置した使用位置と、この使用位置より車体内側に引退するとともにモータ部が肥料タンクの下方に入り込んだ格納位置とに揺動切り換え自在に支持させてあるものだから、作業時には、電動送風機を使用位置に切り換えることにより、電動送風機が肥料タンクより車体横外側に位置し、電動送風機の排気口に一端側が連結する車体横向きの直管などで成る送風経路によって電動送風機を肥料繰出し装置に連通させることができ、非作業時には、電動送風機を格納位置に切り換えることにより、電動送風機が使用位置の場合より車体内側に引退した取り付け状態になり、電動送風機を車体から横外側に突出しなくなるとか、突出しても突出長さが短くなるようにできる。しかも、このとき、モータ部が肥料タンクの下方に入り込み、電動送風機が肥料タンクから車体前方向きに突出する場合には、運転部に対する乗り降りの障害物になりにくいように、肥料タンクから車体後方向きに突出する場合には、苗植付装置の上昇操作の障害物になりにくいように、肥料タンクから車体前後向きへの突出長さが短くなる状態に格納できる。
【００２５】
〔効果〕
従って、送風機から肥料繰出し装置に対して構造簡単な送風経路によって肥料搬送風を供給できるものでありながら、輸送や非作業走行の際には、電動送風機を車体横外側に突出しないとか突出しても突出長さが小になるようにして、かつ、肥料タンクから車体前後方向に突出する長さも小になるようにして格納して、荷台に収容しやすくなるとか、操縦しやすくなる。さらには、運転部に対する乗り降りなどに障害が発生しにくいなど有利な状態に格納できる。
【００２６】
【発明の実施の形態】
図１、図２に示すように、左右一対の操向操作及び駆動自在な前車輪１と、左右一対の駆動自在な後車輪２とによって自走し、エンジンンボンネット３の内部に位置するエンジンＥを有した原動部４、車体後部に位置する運転座席６ａを有した搭乗型の運転部６を備えた自走車の車体フレームの後部にリンク機構７を介して苗植付装置１０を連結し、前記エンジンＥからの駆動力を回転軸８によって苗植付装置１０に伝達するように構成するとともに、前記リンク機構７をリフトシリンダ９によって上下に揺動操作して苗植付装置１０を車体に対して昇降操作するように構成し、前記運転座席６ａの両横側方に分散するように配置して自走車に設けた左右一対の肥料タンク２１を有した施肥装置２０を備えさせて、施肥装置付き乗用型田植機を構成してある。
【００２７】
この田植機は、苗植付装置１０を車体に対して下降させて接地フロート１１が泥面上に接地した作業状態にしながら自走車を走行させることにより、苗植付装置１０が自走車の車体横方向に並んでいる複数個の苗植付機構１２によって圃場の泥土に複数条の苗植付けを行なっていき、この複数条の植付け苗それぞれの横側近くの圃場泥土に前記施肥装置２０によって粒状の肥料を供給していくものであり、詳しくは、次の如く構成してある。
【００２８】
すなわち、苗植付装置１０は、苗植付装置１０の機体横方向に沿う方向の角形鋼管で成るメインフレーム１３、及び、このメインフレーム１３の植付け機体横方向での複数箇所に前端側が連結している植付け伝動ケース１４を備えて成る植付け機体フレームと、前記複数個の植付け伝動ケース１４それぞれの後端部の両横側に一個ずつ駆動自在に支持されている前記複数個の苗植付機構１２と、前記植付け機体フレームの前端側の上方に植付け機体の横方向に摺動自在に支持されているとともに前記各苗植付機構１２の苗植え運動に連動して左右方向に往復移動するように移送されて複数個の苗植付機構１２に苗供給する苗載せ台１５、植付け機体フレームの下部に苗植付け機体の横方向に並べて後端側に位置する機体横向きの軸芯まわりで上下揺動するように取り付けてある前記接地フロート１１を備えて構成してある。
【００２９】
図１などに示すように、前記複数の苗植付機構１２のそれぞれは、前記植付け伝動ケース１４に駆動回動自在に支持されているロータリケース１２ａと、このロータリケース１２ａの両端部に駆動回動自在に支持されている植付けアーム１２ｂと、ロータリケース１２ａの回動に伴って各植付けアーム１２ｂをロータリケース１２ａに対して回動操作するようにロータリケース１２ａの内部に設けた植付け操作機構（図示せず）とを備えて成り、ロータリケース１２ａが回動駆動されることにより、一方の苗植付けアーム１２ｂが備えている苗植付け爪１２ｃと、他方の苗植付けアーム１２ｂが備えている苗植付け爪１２ｃとが、交互に苗載せ台１５の下端側に位置する苗取り出し口と圃場との間を上下に回動移動し、苗載せ台１５に載置されているマット状苗の下端部から一株分のブロック苗を取り出すとともに圃場に下降搬送して植付けるように苗植え運動を行い、一対の苗植付け爪１２ｃによって同一の植付け条に交互に苗植付けしていく。
【００３０】
図１、図４、図６などに示すように、施肥装置２０は、前記左右一対の肥料タンク２１と、この左右一対の肥料タンク２１それぞれの下部に装着してある肥料繰出し装置３０と、一方の肥料タンク２１に装着してある肥料繰出し装置３０の繰出しケース３１の下部の後面側に位置している一対の肥料排出口３２、及び、他方の肥料タンク２１に装着してある肥料繰出し装置３０の繰出しケース３１の下部の後面側に位置している一対の肥料排出口３２に対して各別に接続しているとともにビニールホースや樹脂管で成る複数本の肥料供給路２２と、この複数本の肥料供給路２２の肥料繰出し装置側とは反対側の端部に各別に連通させてあるとともに苗植付機構１２による苗植付け箇所の横側近くに１個ずつ位置するように配置して接地フロート１１に支持させてある複数個の作溝施肥具２３、前記一対の肥料繰出し装置３０の前記繰出しケース３１の前面側どうしにわたって取り付けてある車体横向きの一本の送風管２４と、図７の如くこの送風管２４の一端側に排気口４１が接続している電動送風機４０とを備えて構成してある。
【００３１】
各肥料タンク２１に装着してある肥料繰出し装置３０は、肥料タンク２１の排出口に上端側が連通している前記繰出しケース３１の内部に図６の如き一本の回転自在なロール支軸３３によって回転自在に支持されるように構成して設けた一対の繰出しロール（図示せず）を備えており、前記ロール支軸３３が繰出し駆動機構５０の図４の如き一本の回転自在なロール駆動軸５１によって駆動されることにより、一方の繰出しロールによって肥料タンク２１から一方の肥料排出口３２に肥料を繰出し、他方の繰出しロールによって肥料タンク２１から他方の肥料排出口３２に肥料を繰出すように構成してある。各繰出しロールは、これの周部に設けてある繰出し凹部の容積によって決まる設定量ずつで肥料排出口３２に対して肥料を繰出す。
【００３２】
図４、図７に示すように、電動送風機４０は、前記排気口４１が周部に備えられているファンケース４２、及び、このファンケース４２の内部に回転自在に設けてある回転ファン（図示せず）を有した送風部と、前記ファンケース４２の吸気口４３が位置する側面がわとは反対側の側面がわに連結しているモータケース４４、及び、このモータケース４４の内部に設けた電動モータを有した電動モータ部４５とを備えて構成し、ファンケース４２の電動モータ部４５が位置している方の側面がわに一端側が連結している取り付けブラケット４６を介し、前記左右一対の肥料タンク２１及び肥料繰出し装置３０を支持している支持枠６０の一端部に固設してある車体上下向きの支軸６１に支持させてある。
【００３３】
図４、図５などに示すように、前記取り付けブラケット４６は前記支軸６１に対して回動自在に連結してあり、電動送風機４０は、支軸６１の車体上下向きの軸芯Ｐまわりで車体に対して前後方向に揺動操作することにより、図２に示す如く車体上下方向視で電動送風機４０の全体にわたって一方の肥料タンク２１より車体横外側に位置するとともに電動送風機４０の前記排気口４１が前記送風管２４の一端側に接続した使用位置と、図７に二点鎖線で示す如くに示す如く電動送風機４０の排気口４１が送風管２４から外れ、電動送風機４０の全体にわたって使用位置の場合より車体内側に引退するとともに電動モータ部４５の送風部とは反対側の端部側が肥料タンク２１の下方に入り込んだ格納位置とに切り換わるように構成してある。電動送風機４０を使用位置と格納位置のいずれに切り換えた場合も、前記ブラケット４６に昇降操作自在に装着してある図５の如きロックピン４７の下端側を前記支軸６１に支持されている図７、図８の如きロック盤４８の所定のピン孔に対してロックばね４９によるロックピン４７の下降操作によって挿入させることにより、電動送風機４０を使用位置や格納位置に固定できるようにしてある。
すなわち、電動送風機４０は、使用位置に切り換えて前記電動モータを駆動操作することにより、回転ファンが電動モータによって駆動されて吸気口４３から空気を吸引して肥料搬送風を発生させ、この肥料搬送風を排気口４１から前記送風管２４に送り込む。
【００３４】
図４、図６に示すように、送風管２４は、一方の肥料繰出し装置３０の繰出しケース３１の下端部の前面側に突出している２個の送風口３４に連通しているとともに電動送風機４０の排気口４１が脱着する導入口を備えているパイプ材と、他方の肥料繰出し装置３０の繰出しケース３１の下端部の前面側に突出している２個の送風口３４に連通しているパイプ材と、この両パイプ材とは別部品に作製されて両パイプ材を連通させているパイプ材とによって構成してあり、電動送風機４０からの肥料搬送風を各肥料繰出し装置３０の前記送風口３４から各肥料排出口３２に供給する。
【００３５】
これにより、施肥装置２０は、電動送風機４０を前記使用位置にしてロックピン４７によって固定し、その電動モータを駆動させながら苗植え走行を行なうことにより、次の如く施肥作業を行なう。
すなわち、各肥料繰出し装置３０を繰出し駆動機構５０によって駆動して肥料タンク２１の肥料を肥料繰出し装置３０によってこれの各肥料排出口３２に繰出し、電動送風機４０によって肥料搬送風を発生させるとともにこの肥料搬送風を送風管２４によって肥料繰出し装置３０の各肥料排出口３２に供給し、肥料排出口３２に繰出された肥料を肥料搬送風によって肥料供給路２２を通して作溝施肥具２３に供給し、各作溝施肥具２３により、植付け苗の横側近くで圃場泥土に溝を形成し、この溝の内部に肥料供給路２２からの肥料を落下させる。
【００３６】
図４、図５に示すように、前記繰出し駆動機構５０は、一方の肥料タンク２１に装着されている肥料繰出し装置３０の前記ロール支軸３３に対しても、他方の肥料タンク２１に装着されている肥料繰出し装置３０の前記ロール支軸３３に対しても施肥クラッチ（図示せず）を介して連動している前記ロール駆動軸５１と、このロール駆動軸５１に出力側回転体が各別に連結し、入力側回転体どうしがリンク機構（図示せず）によって連動されているとともに伝動回転方向が互いに逆方向になっている一対の一方向回転クラッチ５２と、一方の一方向回転クラッチ５２の入力側回転体を回動操作する揺動リンク５３に一端側が連結している連動ロッド５４と、この連動ロッド５４の他端側が連結している出力回転体５５ａを備えている動力取り出し装置５５とを備えて構成してある。動力取り出し装置５５は、図３に示す如くエンジンＥからベルトテンション式の主クラッチ８０、静油圧式の走行用無段変速装置８１、ギヤ掛け換え式の走行用副変速装置８２を介して伝達される駆動力を左右後輪２に伝達する図５の如き伝動ケース５６に設けてある。この動力取出し装置５５は、図３、図９に示すように、前記伝動ケース５６の内部に位置する伝動チェーン８３がスプロケット部８４ａに巻回していて、この伝動チェーン８３に連動している回転自在な回転軸８４、この回転軸８４に噛合い式のクラッチ８５を介して連動するように構成してあるとともに前記出力回転体５５ａが一体回転自在に付いている動力取出し軸８６を備えて構成してあり、前記伝動チェーン８３による駆動力によって前記出力回転体５５ａを軸芯Ｘまわりで回転駆動するように構成してある。
【００３７】
すなわち、繰出し駆動機構５０は、左右後輪２に伝達される走行用駆動力を伝動ケース５６から取り出して回転駆動される出力回転体５５ａによって連動ロッド５４を介して揺動リンク５３をロール駆動軸５１の軸芯まわりで往復揺動するように駆動し、この揺動リンク５３の一方の揺動方向の駆動力を一方の一方向回転クラッチ５２を介してロール駆動軸５１に伝達し、揺動リンク５３の他方の揺動方向の駆動力をリンク機構及び他方の一方向回転クラッチ５２を介してロール駆動軸５１に伝達することによってロール駆動軸５１を一回転方向のみに駆動し、このロール駆動軸５１の回動力を各ロール支軸３３に対して施肥クラッチを介して伝達することによって各肥料繰出し装置３０の繰出しロールを繰出し方向に駆動する。
【００３８】
尚、図３に示す９０は、前輪用差動機構であり、９１は、左右後輪２に各別に作用する操向クラッチブレーキであり、９２は、前輪用デフロック装置である。図３、図９に示す９３は、前記回転軸８４に摩擦制動力を付与することによって後輪２にブレーキを掛ける走行用ブレーキである。
【００３９】
前記左右一対の肥料タンク２１及び肥料繰出し装置３０は、前記支持枠６０を介して車体に支持させてある。
すなわち、図８に示すように、支持枠６０は、前記支軸６１を支持アーム６２を介して一端側で支持している車体横方向きのメイン支持枠６３と、このメイン支持枠６３の両端部の前面側に付設してある車体上下方向視でコの字形状の折り曲げ帯板金で成るタンク支持枠６４とによって構成してある。そして、この支持杆６０は、図４、図５、図８に示す取り付け構造によって車体に支持させてある。
【００４０】
すなわち、前記メイン支持枠６４の中間部に連結部材６５を介して２本の円形鋼管の端部を連結して設けた左右一対の後支持脚６６の下端側を自走車の車体フレームを構成している左右一対のメインフレーム７０の後端部に各別に連結し、前記左側のタンク支持枠６４の前端側の横端部に帯板金の端部を連結して設けた左側の前支持脚６７の下端側の端部であって、自走車の板金製の左右一対の後輪フェンダー７１のうちの左後輪フェンダー７１を貫通してこの左後輪フェンダー７１の裏面側に突出している端部を、前記両後輪フェンダー７１の裏面側どうしにわたって連結されて後輪フェンダー７１の補強を図っている板金製のフェンダー補強杆７２の左端側に対して連結板金７３と連結ボルト７４とで連結し、前記右側のタンク支持枠６７の前端側の横端部に帯板金の端部を連結して設けた右側の前支持脚６７の下端側の端部であって、前記右後輪フェンダー７１を貫通してこの右後輪フェンダー７１の裏面側に突出している端部を、前記フェンダー補強杆７３の右端側に連結板金７３と連結ボルト７４とで連結することにより、支持枠６０を、左右一対のメインフレーム７０の後端部と、フェンダー補強杆７２の車体外側の端部とにわたって架設してある。
【００４１】
左右の後輪フェンダー７０の車体内側どうしを連結している状態に形成して左右の後輪フェンダー７０との一体部品に作製してある車体カバー７５を、図８の如く前記左右一対のメインフレーム７０の後端部どうしにわたって連結している板金製の支持体７６に連結することにより、左右の後輪フェンダー７０を支持させてある。図４、図８に示すように、前記フェンダー補強杆７２は、中間部で前記支持体７６に連結することによってメインフレーム７０に支持されている。
【００４２】
左右一対の肥料タンク２１及び肥料繰出し装置３０のうち、左側の肥料タンク２１と肥料繰出し装置３０は、左側のタンク支持枠６４の内部に入り込んだ状態にした肥料繰出し装置３０の繰出しケース３１の上端側とタンク支持枠６４とを連結ボルトによって締め付け連結することによって支持枠６０に支持させてある。右側の肥料タンク２１と肥料繰出し装置３０は、右側のタンク支持枠６４の内部に入り込んだ状態にした肥料繰出し装置３０の繰出しケース３１の上端側とタンク支持枠６４とを連結ボルトによって締め付け連結することによって支持枠６０に支持させてある。
【００４３】
図４、図６に示すように、左側の肥料タンク２１に装着してある肥料繰出し装置３０においても、右側の肥料タンク２１に装着してある肥料繰出し装置３０においても、繰出しケース３１の前面側に設けた矩形の排出貫通孔に一端側が連通するようにして繰出しケース３１に装着した排出ガイド部材により、脱着自在な蓋体３６によって開閉自在な残留肥料排出口３７を形成してある。左側の肥料タンク２１及び肥料繰出し装置３０も、右側の肥料タンク２１及び肥料繰出し装置３０も、これの前記残留肥料排出口３７が前記後輪フェンダー７１の直上方に位置する配置で前記支持枠６０に支持させてある。
すなわち、肥料タンク２１や肥料繰出し装置３０の内部に肥料が残った場合、後輪フェンダー７１の上面上に容器を載置して前記蓋体３６を取り外すことにより、残留している肥料を残留肥料排出口３７から容器に取り出して回収できるようにしてある。
【００４４】
〔別実施形態〕
上記実施形態の如く４条植え可能な田植機の他、５条植えなど、植付け可能な条数が各種ことなる田植機にも適用できる。
【図面の簡単な説明】
【図１】施肥装置付き乗用型田植機全体の側面図
【図２】施肥装置付き乗用型田植機全体の平面図
【図３】伝動系統図
【図４】肥料タンク及び肥料繰出し装置の配設部の正面図
【図５】繰出し駆動機構の側面図
【図６】残留肥料排出口の配設部を示す側面図
【図７】電動送風機の位置変更を示す平面図
【図８】支持枠全体の斜視図
【図９】動力取出し装置の断面図
【符号の説明】
６ａ　　　　　　　運転座席
１０　　　　　　　苗植付装置
１２　　　　　　　苗植付機構
２０　　　　　　　施肥装置
３０　　　　　　　肥料繰出し装置
３７　　　　　　　残留肥料排出口
４０　　　　　　　電動送風機
４５　　　　　　　電動送風機のモータ部
６０　　　　　　　支持枠
７０　　　　　　　メインフレーム
７１　　　　　　　車輪フェンダー
７２　　　　　　　フェンダー補強杆
【図１】
2004057049.tif 000003
【図２】
2004057049.tif 000004
【図３】
2004057049.tif 000005
【図４】
2004057049.tif 000006
【図５】
2004057049.tif 000007
【図６】
2004057049.tif 000008
【図７】
2004057049.tif 000009
【図８】
2004057049.tif 000010
【図９】
2004057049.tif 000011